(57)【特許請求の範囲】
【請求項１】
遊技機本体内に所定数の遊技球を封入しておき、この遊技球を発射装置により遊技領域内に発射して遊技を行い、遊技領域を経た遊技球を循環通路に回収させて、発射位置に導くことにより遊技球を循環使用する封入球式遊技機において、
前記発射位置は、前記遊技領域の上部側にあり、
前記循環通路は、
前記遊技領域を経た遊技球を回収する回収口が形成された戻り樋と、
前記戻り樋と接続されると共に、戻り樋からの遊技球を打ち上げる打上げソレノイドが設けられた移送装置と、
前記移送装置によって打ち上げられた遊技球を導く移送樋と、
前記移送樋により導かれた遊技球を一定量貯留すると共に、前記発射装置側に下り傾斜に設けられた貯留樋と、
球抜きレバーを駆動して、前記貯留樋の球抜き口を前記戻り樋に接続する球抜き樋と、
を設け、
前記戻り樋は、前記回収口付近の底部に常態では戻り樋の底壁を形成する排出レバーを設け、該排出レバーを開いて封入球を外部に排出することを特徴とする封入球式遊技機。
【請求項２】
前記移送装置には、前記貯留樋に達しなかった遊技球を戻し路から当該移送装置の入口に戻すための逆止片を配置したことを特徴とする請求項１に記載の封入球式遊技機。
【発明の詳細な説明】
【０００１】
【発明の属する技術分野】
この発明は、封入球式の遊技機に関する。
【０００２】
【従来の技術】
カード挿入口にカードを挿入して、その遊技価値情報（持玉数等）の範囲内において、遊技機本体内に封入してある遊技球を遊技領域内に発射して遊技を行い、その遊技に基づいて遊技価値情報の更新を行う一方、遊技領域を経た遊技球を回収して発射位置に導いて、循環使用するようにした封入球式の遊技機（パチンコ遊技機）がある。
【０００３】
【発明が解決しようとする課題】
このような遊技機は、遊技領域の下方つまり遊技機下部に配設された発射装置から遊技球が発射され、同じく遊技領域の下方に遊技領域を経た遊技球を回収して発射装置に導く循環通路が形成されている。
【０００５】
発射球は遊技機下部から発射レールに誘導されて遊技領域へ放出され、発射装置から遊技領域までの道程が長いことから、発射球がレール上に残ったり、戻ったりする、いわゆるファール球の発生が多かった。また、循環通路に、ファール球の戻し通路が設けられるため、玉詰まりが発生することもあった。また、封入球式の遊技機では、ファール球によって発射球数等が変わることから、持玉数の演算が複雑になっていた。
【０００６】
この発明は、このような問題点を解決することを目的としている。
【０００７】
【課題を解決するための手段】
第１の発明は、遊技機本体内に所定数の遊技球を封入しておき、この遊技球を発射装置により遊技領域内に発射して遊技を行い、遊技領域を経た遊技球を循環通路に回収させて、発射位置に導くことにより遊技球を循環使用する封入球式遊技機において、
前記発射位置は、前記遊技領域の上部側にあり、前記循環通路は、前記遊技領域を経た遊技球を回収する回収口が形成された戻り樋と、前記戻り樋と接続されると共に、戻り樋からの遊技球を打ち上げる打上げソレノイドが設けられた移送装置と、前記移送装置によって打ち上げられた遊技球を導く移送樋と、前記移送樋により導かれた遊技球を一定量貯留すると共に、前記発射装置側に下り傾斜に設けられた貯留樋と、球抜きレバーを駆動して、前記貯留樋の球抜き口を前記戻り樋に接続する球抜き樋と、を設け、前記戻り樋は、前記回収口付近の底部に常態では戻り樋の底壁を形成する排出レバーを設け、該排出レバーを開いて封入球を外部に排出する。
【０００９】
第２の発明は、前記移送装置には、前記貯留樋に達しなかった遊技球を戻し路から当該移送装置の入口に戻すための逆止片を配置した。
【００１５】
【発明の実施の形態】
以下、本発明の実施の形態を図面に基づいて説明する。
【００１６】
図１、図２は封入球式の遊技機（パチンコ機）を示すもので、１はその機枠（外枠）、２は内枠を示す。
【００１７】
内枠２は、外枠１に前後方向に移動可能に、前面のパネル部３が開閉可能に形成される。内枠２のパネル部３には遊技盤５が装着され、パネル部３の前面に遊技盤５を覆い、保護するカバーガラス８がガラス枠６を介して配設され、前方に膨出されたパネル下部７に遊技の操作部１０等が配設される。
【００１８】
遊技盤５の基板１２の形状に合わせて図３、図４のようにパネル部３に凹室１３が形成され、遊技盤５は、基板１２の上部（フランジ部）に形成されたフック１４が、パネル部３の凹室１３の上部に設けられたバー１５に掛合され、基板１２の下部（フランジ部）が、凹室１３の底部に配置された支持台１７に掛止機構を介して固定される。
【００１９】
遊技盤５の表面には、図５のように遊技領域の中央に遊技画像等を表示する画像表示装置２０が、その下方に変動入賞装置２１等が配設される。遊技盤５の裏面には、遊技領域のワープ口に接続する誘導樋２２、遊技制御装置２３等が配設される。
【００２０】
打球の発射装置２４は、図３、図６のようにパネル部３の凹室１３の左上部に配置される。
【００２１】
発射装置２４の発射機構２５は、球送り機構２６から発射口２７に送られた球を打ち出す発射杵３０と、その駆動ソレノイド３１から構成される。球送り機構２６は、球を１個ずつ送る爪部材３２と、その駆動ソレノイド３３から構成される。３４は球抜きレバー、３５はその駆動ソレノイド、３６は球送り機構２６から発射口２７に球が送られたかどうかを検出するセンサ（検出球を発射球として計数するセンサ）である。
【００２２】
発射装置２４は、球抜きレバー３４、駆動ソレノイド３５、センサ３６とともに、流路３７を形成するフレーム３８に一体に組付けられ、発射機構２５部分をパネル部３の凹室１３の遊技盤収納空間４０に臨ませて、凹室１３の奥壁４１に取付けられる。
【００２３】
発射装置２４の発射機構２５に対応して、図６、図７のように遊技盤５の基板１２に凹空間４２が形成される。遊技盤５の基板１２の周縁部に遊技領域を囲うガイド壁４３および補強を兼ねるフランジ部４４が形成され、発射機構２５に対応する部位の基板１２部分（左上部）に、前面のフランジ部４４を残して、その裏面に凹空間４２が形成される。
【００２４】
パネル部３の凹室１３に遊技盤５が装着されると、凹室１３の遊技盤収納空間４０に臨ませた発射装置２４の発射機構２５部分が、遊技盤５の基板１２の凹空間４２に収納され、遊技盤５の遊技領域の近傍に位置される。その凹空間４２の内側のガイド壁４３の所定位置に、発射機構２５の発射口２７につながる開口が形成される。
【００２５】
パネル部３の凹室１３の裏面側には、図８、図９のように遊技球の循環通路４６が設けられる。
【００２６】
循環通路４６は、略四辺形のループ状に形成される。循環通路４６の上辺には、一定量の遊技球を貯留すると共に発射装置２４の流路３７に接続される貯留樋４７が設けられる。貯留樋４７は、入口側が弓状の曲路に形成され、発射装置２４側に下り傾斜に設けられる。この貯留樋４７は、発射装置２４のフレーム３８と一体形成される。
【００２７】
循環通路４６の右側辺（遊技機の前面から見て）には、移送装置４８によって打上げられた遊技球を貯留樋４７に導く移送樋５０が設けられる。
【００２８】
循環通路４６の下辺には、図１０のように遊技盤５の下部に設けられた遊技球の出口５１に接続される回収口５２が形成されると共に、移送装置４８に下り傾斜して接続される戻り樋５３が設けられる。戻り樋５３の回収口５２近くの底部には、遊技球を排出樋５４を介して外部に排出可能な切替機構５５が配設される。
【００２９】
遊技盤５の下部の出口５１には、遊技領域の下部のアウト口５７および変動入賞装置２１等の入賞球の出口流路５８が接続される。
【００３０】
循環通路４６の左側辺（遊技機の前面から見て）には、図６のように貯留樋４７側の球抜き口をつまり発射装置２４の流路３７に設けられた球抜きレバー３４の排出口６０を戻り樋５３に接続する球抜き樋６１が設けられる。球抜き樋６１は、曲路により戻り樋５３に接続され、図１１のように途中に外部から遊技球を取入れるための取入口６２が形成される。
【００３１】
移送装置４８は、図１２のように筒状の打上げ口６３を持つ打上げソレノイド６４が設けられ、球装填機構６５から打上げ口６３に送られた球がソレノイド６４の磁力によって移送樋５０から貯留樋４７へ打上げられる。球装填機構６５は、図１２、図１３のように球を１個ずつ送る装填レバー６６と、その間装填レバー６６を揺動する駆動モータ６７から構成される。打上げ口６３の上部には、貯留樋４７に達しなかった球を戻し路６８から装置入口に戻す逆止片７０が配置される。
【００３２】
切替機構５５は、図１４のように常態では排出レバー７１が閉じて戻り樋５３の底壁を形成するが、図１５のように駆動ソレノイド７２を駆動して排出レバー７１を開くと、戻り樋５３が排出樋５４に開通される。
【００３３】
貯留樋４７、移送樋５０、戻り樋５３、球抜き樋６１は、それぞれ通路断面が１個の遊技球より大きく、２個の遊技球より小さい１条通路に形成される。即ち、各樋４７，５０，５３，６１は遊技球を１個ずつ通す大きさに形成される。
【００３４】
遊技店の開店時、循環通路４６に、外部装置から球抜き樋６１の取入口６２を介して所定数の遊技球が送られ、封入される。閉店時、戻り樋５３の切替機構５５によって排出樋５４が開かれ、封入球が外部装置に回収される。
【００３５】
遊技中は、貯留樋４７の所定位置および戻り樋５３の所定位置に配置された球検出センサ７３〜７５等の信号に基づいて、図示しない本体制御装置によって貯留樋４７に所定数の範囲の遊技球が介在するように移送装置４８が駆動制御され、戻り樋５３の遊技球が移送装置４８によって貯留樋４７に打上げられる。
【００３６】
内枠２のパネル下部７の操作面は前方に下がり傾斜面に形成され、その操作面に打球の発射装置２４の打球発射等をコントロールする遊技操作部１０、ならびにカードの残金額、持玉数等の遊技価値データおよびカードの残金額より遊技価値データへの変換を行うスイッチの入力・表示部１１が配設され、パネル下部７の右側にカードの挿入口７６が配設される。
【００３７】
この挿入口７６に所定のカードを挿入して、入力・表示部１１によって残金額より遊技価値データへ変換すると、また予め遊技価値データがある場合は、遊技操作部１０の操作によって発射装置２４から球が発射されるようになり、遊技が行われる。
【００３８】
このように構成されており、遊技操作部１０を操作（遊技価値データがある場合）して発射装置２４を作動させると、遊技盤５の基板１２の凹空間４２にある発射機構２５から、遊技盤５の遊技領域に遊技球が発射される。
【００３９】
発射機構２５が遊技盤５の遊技領域近傍に位置され、直接遊技領域に遊技球が発射されるため、遊技操作部１０の操作によって、打球の発射、停止、発射速度の調整等、応答良くコントロールされる。
【００４０】
発射位置が遊技盤５の遊技領域の至近にあるため、従来例のように発射された遊技球がレール上に残ったり、戻ったりするファール球の発生が確実に防止される。
【００４１】
一方、遊技球の発射に伴って、循環通路４６の貯留樋４７の球が発射装置２４に送られると共に、貯留樋４７の球の数等に応じ、戻り樋５３の球が移送装置４８によって貯留樋４７へ打上げられる。遊技盤５の遊技領域に発射された遊技球は、アウト口５７、入賞球の出口流路５８に接続する遊技盤５下部の出口５１から回収口５２を通って戻り樋５３に流出される。
【００４２】
貯留樋４７には発射前の一定量の球が貯留されると共に、貯留樋４７が球を１個ずつ通す大きさの通路のため、移送装置４８から貯留樋４７へ、貯留樋４７から発射装置２４へ球がスムーズに送られ、発射装置２４前の通路部位での玉止まりは確実に防止される。
【００４３】
循環通路４６が略四辺形状のループに形成され、上辺に発射装置２４につながる貯留樋４７が、一側辺に移送装置４８からの球を貯留樋４７に導く移送樋５０が、下辺に移送装置４８につながる戻り樋５３が配設されるので、球のスムーズな流れが確保され、従来例のように狭いスペースに循環通路が形成されることに起因する玉止まりの発生は防止される。また、移送樋５０、戻り樋５３も、球を１個ずつ通す大きさに形成されるため、玉止まりは確実に防止される。
【００４４】
貯留樋４７のほかに戻り樋５３に所定量の球が貯留されるので、スムーズな球の流れが得られるように通路幅を小さくしても、十分量の球が封入可能である。
【００４５】
貯留樋４７、移送樋５０、戻り樋５３および球抜き樋６１と共に、遊技球の取入口６２、各検出センサ７３〜７５、移送装置４８、球抜きレバー３４、封入球の排出の切替機構５５等が分散配置されるので、循環通路４６が簡素化され、玉詰まり等は避けられる。ファール球が発生しないため、ファール球の戻し通路等が不要となり、循環通路４６がより簡素化されると共に、ファール球の戻しによる玉詰まりが的確に防止される。
【００４６】
発射装置２４の流路部および発射装置２４を組付けるフレーム３８に貯留樋４７が一体形成されるので、構造が簡素化され、発射装置２４と貯留樋４７との位置設定が容易に行える。
【００４７】
循環通路４６を遊技領域の裏側（パネル部３の凹室１３の裏面側）に設けたので、容易に形成でき、配設できる。略四辺形状の循環通路４６のため、球の流れが１目で確認でき、故障が発生したとき等、故障部位の把握を的確に行える。
【００４８】
ファール球が発生しないため、遊技価値データを基に遊技を行う封入球式の遊技機にあって、持玉数の演算が極めて容易になり、演算精度が向上して、好適である。
【００４９】
なお、遊技機の下部側にスペースが確保されるので、パネル部３あるいは遊技機のデザインを変えたり、遊技操作部１０等にディスプレー装置、各備品等を並設したり等、スペースの有効利用を行える。
【００５０】
【発明の効果】
以上のようにこの発明によれば、ファール球の発生がなく、そのため循環通路をより簡素化でき、ファール球による玉詰まりを的確に防止できる。また、ファール球が発生しないため、封入球式の遊技機にあって、持玉数の演算が極めて容易になる。また、一定量の球を貯留する貯留樋から発射装置へ球をスムーズに送ることができる。
【図面の簡単な説明】
【図１】遊技機の正面図である。
【図２】遊技機のカバーガラス枠を開いた状態の正面図である。
【図３】遊技盤を外した状態の正面図である。
【図４】パネル部分の断面図である。
【図５】遊技盤の正面図である。
【図６】図３のＡ−Ａ矢視図である。
【図７】発射装置の位置を示す遊技盤の一部切欠正面図である。
【図８】パネル部分の裏面図である。
【図９】遊技球の通路系統図である。
【図１０】遊技盤下部の出口部分の断面図である。
【図１１】遊技球の取入口部分の側面図である。
【図１２】移送装置の正面図である。
【図１３】移送装置の動作説明図である。
【図１４】戻り樋部分の正面図である。
【図１５】切替機構の動作説明図である。
【符号の説明】
１  外枠
２  内枠
３  パネル部
５  遊技盤
６  カバーガラス枠
１０  遊技操作部
１１  設定・表示部
１２  基板
１３  凹室
１４  フック
１５  バー
１７  支持台
２０  画像表示装置
２１  変動入賞装置
２３  遊技制御装置
２４  発射装置
２５  発射機構
２６  球送り機構
２７  発射口
３０  発射杵
３１  駆動ソレノイド
３２  爪部材
３３  駆動ソレノイド
３６  センサ
３７  流路
３８  フレーム
４０  遊技盤収納空間
４２  凹空間
４３  ガイド壁
４４  フランジ部
４６  循環通路
４７  貯留樋
４８  移送装置
５０  移送樋
５１  出口
５２  回収口
５３  戻り樋
５４  排出樋
５５  切替機構
５６  アウト口
５８  出口流路
６０  排出口
６１  球抜き樋
６２  取入口
６４  打上げソレノイド
６５  球装填機構
６６  装填レバー
６７  駆動モータ
７０  逆止片
７１  排出レバー
７２  駆動ソレノイド
７３〜７５  球検出センサ
７６  挿入口
【図１】
0004299373.tif 000002
【図２】
0004299373.tif 000003
【図３】
0004299373.tif 000004
【図４】
0004299373.tif 000005
【図５】
0004299373.tif 000006
【図６】
0004299373.tif 000007
【図７】
0004299373.tif 000008
【図８】
0004299373.tif 000009
【図９】
0004299373.tif 000010
【図１０】
0004299373.tif 000011
【図１１】
0004299373.tif 000012
【図１２】
0004299373.tif 000013
【図１３】
0004299373.tif 000014
【図１４】
0004299373.tif 000015
【図１５】
0004299373.tif 000016